(57)【特許請求の範囲】
【請求項１】
壁漆喰材からなり、建築構造（５）の壁部を被覆する壁漆喰（６）と、
前記建築構造（５）の壁部に固定された内部装飾要素（１）と、
からなり、
前記内部装飾要素（１）は、前記壁漆喰（６）により被覆されず、第２要素を受ける容積を生み出す非平面形状を有し、これにより、前記内部装飾要素（１）が前記壁漆喰（６）に関する追加の機能を満たす本体（２）と、前記本体（２）の１以上の周縁縁部（３）に設けられたくさび形の結合要素（４）とを備え、
前記壁漆喰（６）は前記くさび形の結合要素（４）を被覆し、前記壁漆喰（６）の上面が前記本体（２）の周縁縁部（３）と同一平面になり、前記内部装飾要素（１）が前記壁漆喰（６）に途切れることなく一体化され、
前記本体（２）および前記結合要素（４）は、要部として漆喰を有する予め決められた組成からなる補強壁漆喰材で構成され、前記補強壁漆喰材の組成は、前記補強壁漆喰材と、前記本体（２）および前記結合要素（４）の周りに存在し、前記結合要素（４）を被覆する前記壁漆喰材とが実質的に同じ物質からなり、実質的に同じ方法で天候の変化および湿度に反応するように選択されたことを特徴とする壁構造。
【請求項２】
前記補強壁漆喰材は、漆喰で強化されたガラスであることを特徴とする請求項１に記載の壁構造。
【請求項３】
前記結合要素（４）は、前記本体（２）の周縁縁部（３）で最大厚さを有するくさび形であり、前記最大厚さは、前記周縁縁部（３）の周りに構成された壁漆喰（６）の厚さよりも薄いことを特徴とする請求項１または２に記載の壁構造。
【請求項４】
前記補強壁漆喰材内に埋め込まれた、少なくとも１つの強化要素（７）を備えたことを特徴とする請求項１から３のいずれかに記載の壁構造。
【請求項５】
前記強化要素（７）は、前記結合要素（４）の補強壁漆喰材内に埋め込まれたことを特徴とする請求項４に記載の壁構造。
【請求項６】
前記強化要素（７）は、前記内部装飾要素（１）の建物構造（５）への結合（１６）を強化することを特徴とする請求項４または５のいずれかに記載の壁構造。
【請求項７】
前記本体（２）は、第２要素用の受け部（１２）を備えたことを特徴とする請求項１から６のいずれかに記載の壁構造。
【請求項８】
前記強化要素（７）は、前記第２要素用の受け部（１２）を強化することを特徴とする請求項４から７のいずれかに記載の壁構造。
【請求項９】
前記第２要素用の受け部（１２）は、ヒンジ、ドア用ボルトの受け部、ランプを設けるためのブラケット、光源、スピーカ、カーテンレール、空気の供給および/または放出用の開口部、スプリンクラー、煙探知機である第２要素の１つを受けるように構成されたことを特徴とする請求項８に記載の壁構造。
【請求項１０】
前記本体（２）が、少なくとも１つの側柱（１０）を備えたことを特徴とする請求項１から９のいずれかに記載の壁構造。
【請求項１１】
前記本体（２）が、ライドボックスを備えたことを特徴とする請求項１から１０のいずれかに記載の壁構造。
【請求項１２】
前記ライトボックスは、少なくとも部分的に前記ライトボックスを閉じる蓋（１４）用の受け部（１５）を備えたことを特徴とする請求項１１に記載の壁構造。
【請求項１３】
前記内部装飾要素（１）が、角部（８）を備えたことを特徴とする請求項１から１２のいずれかに記載の壁構造。
【請求項１４】
前記角部（８）は、円形であり、丸みを帯びた角部が得られることを特徴とする請求項１３に記載の壁構造。
【請求項１５】
少なくとも１つの、前記内部装飾要素（１）の表面（９）が、湾曲していることを特徴とする請求項１から１４のいずれかに記載の壁構造。
【発明の詳細な説明】
【技術分野】
【０００１】
本発明は、請求項１の前提部に記載の室内装飾に使用する壁構造に関する。
【背景技術】
【０００２】
建物の骨組が完成した後、塗装する、壁紙を貼る、または当業者にとって公知の他の種類の表面処理用に滑らかな表面が得られるように、壁、天井、および他の建築構造、または建物の建築構造の一部を、漆喰で覆うことにより仕上げることは公知である。
【０００３】
壁、および天井を貼った後、種々の建築要素を、壁、天井、および他の建物構造に設けることで、更に建物を仕上げることができる。建築要素は例えば、側柱、ライトボックス、または吊すことで所望の審美的効果(aesthetic effect)を得られる装飾要素からなる。これらの建築要素は例えば、木材、プラスチック、アルミニウム、または当業者にとって適すると判断された他の任意の材料から製造されている。
【０００４】
現代建築において、建築要素は継ぎ目が無く、見分けがつかないように壁および天井を覆う漆喰に組み込まれることが、しばしば望まれる。例えば、継ぎ目がない、および見分けがつかないように側柱を壁の漆喰と一体化することは、しばしば、建物に”最小主義的(minimalist)”で現代的なデザインを与えるために求められる。建築要素を、継ぎ目無く、一体化することはまた、例えば手術室のように台所、または病室など高い衛生状態が要求される環境下で必要とされる。
【０００５】
それに、建築要素は例えば、漆喰を塗る前に壁に設けられ、その後、建築要素が部分的に、または完全に漆喰で覆われて、建築要素と漆喰との間の継ぎ目がない結合が得られる。しかし、室内を装飾するこの方法は、比較的短時間で、建築要素と漆喰との間の結合が壊れ、これにより、ひび、割れ、建築要素と漆喰の覆いとの間の隙間が発生するという不利な点がある。
【発明の概要】
【０００６】
従って、漆喰の覆いと隙間無く一体化することができる壁構造を提供することが本発明の目的である。
【０００７】
この目的は、請求項１の全ての技術的特徴を示す壁構造を備えた本発明により達成される。
【０００８】
それに、壁構造は、本体の１以上の周縁縁部に、壁漆喰と共に被覆されるように構成された結合要素を備え、本体および結合要素は、補強壁漆喰材（reinforced wall plastering material）で構成されている。
【０００９】
従来技術の問題点を分析すると、ひび、割れ、隙間は、建築要素と壁漆喰との材料特性が異なることにより引き起こされていたことが、明らかになった。本発明によれば、本体および結合要素は、補強壁漆喰材で構成されているので、壁漆喰および結合要素は主に、同じ材料を備えている。結果として、建物構造の壁漆喰は、壁構造の漆喰により強化された壁と共に、より良く結合される。壁漆喰と補強壁漆喰材との間の結合はまた、両方の材料は主に同じ物質を備え、実質上は温度変化、湿気などに同じように反応するので、簡単には壊れない。結果として、ある期間の後、ひび、割れ、および/または隙間が発生するリスクを、実質上、低減することができる。壁構造を、それ故、所望の審美的効果を創出し、被覆する漆喰と共に継ぎ目無く、一体化することができる。
【００１０】
発明者は更に、本発明による壁構造用に補強壁漆喰材を使用することは、壁構造に望ましい強度および剛性を与え、更に壁構造の耐衝撃性の能力を向上させることを発見している。本発明の壁構造はそれ故、幅広い用途に適用することができる。
【００１１】
補強壁漆喰材は、壁構造として使用されるので、発明者は更にまた、壁構造は簡単に生産され、加工されることを発見している。本発明に係る壁構造は、例えば、型に入れて作ることができる。これにより、壁構造の生産を簡単に、早く、再生可能で、それ故、安い。壁構造の生産、および加工が簡単なことに加えて、補強壁漆喰材の使用は、広範囲の形状、寸法、および壁構造への適用を可能にする。
【００１２】
発明者は更に、補強壁漆喰材で構成された壁構造は軽く、操作しやすく、容易に輸送し、取り付けることができることを発見している。
【００１３】
発明者は更にまた、補強壁漆喰材は、耐火特性を有し、構成材料の火災安全を特に要求される建築物に使用するのが、ふさわしいことを発見している。
【００１４】
本発明の好適な実施形態において、補強壁漆喰材は、ガラス強化石膏（ＧＲＧ）である。ＧＲＧは、成形しやすく、容易に生産され、安価で、強度、剛性、および耐衝撃性の能力を増加した補強壁漆喰材である。
【００１５】
本発明による壁構造の更に好適な実施形態において、結合要素は、本体の周縁縁部で最大厚さを有するくさび形(wedge-shaped)であり、最大厚さは、壁漆喰の層の最大厚さよりも小さい。くさび形の結合要素は、容易に、迅速に、および頑丈に壁構造を、被覆している漆喰と継ぎ目なく一体化することを可能にする。
【００１６】
本発明による壁構造の更にまた好適な実施形態において、壁構造は、補強壁漆喰材に埋め込まれた、少なくとも１つの強化要素を備えている。強化要素は、壁構造全体の強度および剛性を強化している。更に強化片は、壁構造の建物構造への結合を強化することができる。更に他の好適な実施形態において、強化要素は、結合要素の補強壁漆喰材内に埋め込まれている。
【００１７】
本発明の好適な実施形態において、壁構造の本体は第２要素用の受け部を備えている。第２要素は、以下のうちから任意の１つからなるものである：ヒンジ、ドア用ボルトの受け部、ランプを設けるためのブラケット、光源、スピーカ、カーテンレール、空気の供給および/または放出用の開口部、スプリンクラー、煙探知機であるが、これらに限定されない。壁構造はそれ故、種々の目的を達成することができ、審美的なデザインおよび現代的な外観を維持する一方で、用途を多様にする。
【００１８】
本発明の好適な実施形態において、強化要素は第２要素用の受け部を強化し、第２要素をより頑丈、かつ耐久性があるように配設する。
【００１９】
本発明の好適な実施形態において、壁構造の本体は、少なくとも１つの側柱を有する。側柱は、見分けがつかないように壁に結合することができ、側柱を壁の残りの部分に見分けがつかないように一体化し、現代建築でしばしば探求される室内の最小主義的で、かつ近代的な設計を加える。
【００２０】
本発明の好適な第２実施形態において、壁構造の本体はライトボックスを備えている。ライトボックスは見分けがつかないように壁、または天井に結合することができ、例えば、ライトボックスを壁、または天井の残りの部分と見分けがつかないように一体化し、室内の最小主義的で、かつ近代的な設計を加える。
【００２１】
本発明は更に、以下の説明および添付図面から明らかになる。
【図面の簡単な説明】
【００２２】
【図１】壁に取り付けられた本発明に係る壁構造の断面図である。
【図２】壁に取り付けられた本発明に係る他の壁構造の断面図である。
【図３】側柱からなる本発明に係る他の壁構造の断面図である。
【図４】補強要素により補強されたドアのボルトの受け部を有する側柱からなる本発明に係る他の壁構造の断面図である。
【図５】２次要素を受ける受け部を備えた本発明に係る他の壁構造の断面図である。
【図６】２次要素を取り付けるための補強要素を備えた本発明に係る他の壁構造の断面図である。
【図７】図６に示す本発明に係る壁構造の異なる実施形態の断面図である。
【図８】図７に示す本発明に係る壁構造および壁構造を覆う蓋の断面図である。
【図９】図６による壁構造の異なる実施形態の断面図である。
【図１０】図７による壁構造の異なる実施形態の断面図である。
【図１１】本発明に係る壁構造の他の実施形態の側面図である。
【図１２】角部を備えた本発明に係る壁構造の異なる実施形態の断面図である。
【図１３】角部を備えた本発明に係る壁構造の異なる実施形態の断面図である。
【図１４】角部を備えた本発明に係る壁構造の異なる実施形態の断面図である。
【発明を実施するための形態】
【００２３】
図１の内部装飾要素１は、建物の室内装飾に使用される。内部装飾要素１は、結合要素４を貫通してねじ込まれたねじ１６によって壁５に取り付けられている。内部装飾要素１は、本体２と、該本体２の周縁縁部３にある結合要素４とからなる。本体２および結合要素４は、補強壁漆喰材により構成されている。結合要素４は、少なくとも部分的に壁５を被覆する壁漆喰６によって、覆われている。
【００２４】
補強壁漆喰材は、好ましくは強化漆喰であり、更に好ましくはガラス強化石膏（ＧＲＧ）であるが、例えば、木材繊維強化漆喰など、当業者により適切と判断された任意の材料であってもよい。補強壁漆喰材およびガラス強化石膏は、特に強く、軽く、耐衝撃性があり、防火法規に準拠し、安く、変色せず、加工および取り扱いが容易であるので、内部装飾要素１は、当業者により適切と判断された任意の形状および機能であってもよい。その上、補強壁漆喰材は成形しやすいので、内部装飾要素１として望ましい形状に簡単に、他の特徴に悪影響を与えずに再現することができる。更にまた、補強壁漆喰材を簡単に加工することにより、壁５に内部装飾要素１を簡単に、素早く、安く取り付けることができる。
【００２５】
結合要素４は、壁漆喰６に覆われるように構成されている。内部装飾要素１および壁漆喰６は、組成の要部として漆喰を有するので、内部装飾要素１および壁漆喰６は、互いに強固に結合される。壁漆喰６および補強壁漆喰材の素材は主に同じ材料からなり、気温の変化や湿度などに実質的に同じように反応するので、壁漆喰６と補強壁漆喰材との間の結合はまた、簡単には壊れない。結果として、所定の期間後に、ひび、割れ、および/または開口が生じる危険性は、実質的に低減されるであろう。内部装飾要素１はそれゆえ、漆喰の覆いに、継ぎ目なく一体に設けることができるので、所望の審美的影響を創出する。
【００２６】
結合要素４は、内部装飾要素１の本体２の周縁縁部３の全長に沿って設けることができ、または例えば、内部装飾要素１の周縁縁部３の明確な位置にのみ、例えば内部装飾要素１の所望の審美的および/または物質的な特徴に応じて、結合要素４を設けることができる。
【００２７】
図１の内部装飾要素１の結合要素４の形状、および周縁縁部３から結合要素４への変わり目の形状は、壁漆喰６が周縁縁部３で本体２に隣接する際に、壁漆喰６から本体２への連続する継ぎ目のない変わり目が形成されるような形状である。ここに、結合要素４は、本体２の周縁縁部３で、最大厚さを備えたくさび形であり、最大厚さは、壁漆喰６の層の最大厚さよりも薄い。しかし、結合要素４は、例えば、本体２の周縁縁部３での最大厚さが、壁漆喰６、または他の形状の層の最大厚さよりも厚く、くさび形の代わりに設けられる、壁５の表面に平行であるような、当業者により適切だと判断された他の任意の形状であってもよい。
【００２８】
図１の実施形態において、結合要素４の厚さは周縁縁部３から離れるに従い、連続的に減少する。結合要素４の厚さが減少する進行形状はしかし、本発明にとって重大な問題ではなく、当業者に決定されてもよく、例えば、壁漆喰６で結合要素４を簡単に迅速に覆うことができる以上、直線状または指数関数的な形状であってもよい。しかし、減少する進行形状は、周縁縁部３と結合要素４の端部との間で、厚さが極小、および/または極大になり、または、厚さが例えば、周縁縁部３から結合要素４の端部に向かって波打ってもよい。
【００２９】
内部装飾要素１を適切に仕上げるためには、好適には、十分な壁漆喰６がくさび形の結合要素４上に設けられるので、壁漆喰６は部分的に内部装飾要素１の本体２と重なり合う。好ましくは、重なり合っている、および余分な壁漆喰６は、本体２の表面上の真っ直ぐな端部を引きずることによって取り除かれ、壁漆喰６と内部装飾要素１の本体との間の、継ぎ目のない連続した結合を可能にする。
【００３０】
内部装飾要素１に壁漆喰６を適用する方法はしかし、本発明にとって重大な問題ではなく、当業者が、内部装飾要素１と壁漆喰６との間を継ぎ目のない結合にするのに適すると判断する他の任意の方法を使用することができる。
【００３１】
図１に係る結合要素４は、壁漆喰６により完全に覆われており、壁漆喰６と結合要素４との強い結合、および壁漆喰６と本体２との連続する継ぎ目のない一体化を可能にする。壁漆喰６により結合要素４を完全に覆うことはしかし、本発明にとって重大な問題ではない。結合要素４はまた、例えば当業者により想定される審美的影響に応じて、壁漆喰６により部分的に覆われてもよい。
【００３２】
図１において内部装飾要素１は、結合要素４の補強壁漆喰材の中に埋め込まれた強化要素７を備えている。変形例として、強化要素（図示せず）は本体２内に、または内部装飾要素１を貫通して適用することもできる。内部装飾要素１の本体２内にある強化要素７の位置は例えば、ねじ１６が、図１に示す例のように、ねじ１６の土台を強化するために内部装飾要素１を貫通してねじ込まれるか否か、および例えば、強度、剛性、耐衝撃性、防音特性、保温特性のように、内部装飾要素１に望まれる物質的な特徴により決定される。強化要素の機能はしかし、これらの例示に限定されるものではなく、本発明にとって重大な問題ではない。
【００３３】
強化要素の大きさは例えば、前に考慮されたように、内部装飾要素１に望まれる物質的な特徴に依存すると共に、少なくとも部分的に強化要素７を内部装飾要素１に埋め込む場合には、強化要素７の大きさを制限する内部装飾要素１の形状、種類、および大きさに依存する。
【００３４】
図１に示される強化要素７の断面図は矩形であるが、例えば、円形、楕円形、四角形など、当業者が適切と判断する任意の形状を備えてもよい。一体化された強化要素７は、好ましくは立方体であるが、例えば球形であってもよい。
【００３５】
強化要素７の材料は、前に考慮された強化要素７に望まれる物質的な特徴に依存し、例えば、木材、金属、厚紙であってもよい。
【００３６】
図１に示すように、結合要素４を貫通してねじ１６をねじ込むことに代え、内部装飾要素１を壁５に結合するために、ねじ１６はまた、内部装飾要素１の本体２を貫通してねじ込んでもよい。ねじの位置は、当業者によって決定されてもよく、特に、内部装飾要素１を壁５に設ける必要条件、配設位置、所望の審美的影響、強化要素の位置などに依存してもよい。
【００３７】
図１のねじ１６は、内部装飾要素１を見る傍観者にとっては、見分けがつかない。それに、ねじ１６は結合要素４を覆う壁漆喰６により、覆われている。ねじ１６が本体２を貫通してねじ込まれる場合、ねじ込まれた後にねじ１６を隠すように、壁漆喰６に被覆されるねじ位置を提供するために、本体２は例えば、その表面に凹部を備える。ねじ１６を覆うことはしかし、本発明にとって重大な問題ではなく、単に、当業者にとってなされる審美的な選択である。
【００３８】
内部装飾要素１を壁５に結合するために使用されるねじ１６は、本発明にとって重大な問題ではなく、変形例として、内部装飾要素１は例えば、接着剤でつけることにより、ホチキスでとめることにより、釘で打ち付けることにより、または当業者にとって公知の他の方法により、結合されてもよい。
【００３９】
図１に示された内部装飾要素１は、壁５に設けられているが、天井、乾式壁など、本発明に係る他の内部装飾要素１に設けられてもよい。
【００４０】
本体２は機能的であり、非平面の形状を有し、壁漆喰６に関する追加の機能を満たすように構成されている。図１の中で、本体２は角部８を有し、それにより、壁漆喰に関する追加の機能を実現させる。
【００４１】
図１に示す角部８は、垂直の角度を定めている。しかし、例えば、種々の角度をなす角部、湾曲した角部など、他の任意の角部（図示せず）を使用することができる。
【００４２】
図２に示す内部装飾要素１は、図１に示す内部装飾要素１と同じであるが、薄い壁２５に取り付けられている。薄い壁２５は例えば、木製パネルであり、薄い壁２５をも覆う他の要素２０に隣接している。図２に示す他の要素は、部分的に壁漆喰６に覆われ、例えば乾式壁であってもよく、本発明に係る他の内部装飾要素であってもよい。本発明に係る他の内部装飾要素は、内部装飾要素１と同一であってもよく、または例えば、異なる目的を果たすために、種々の形状および機能を有し、または例えば、室内の装飾用の構造物として使用される他の任意の要素を有する。
【００４３】
図３に示す内部装飾要素１０は、内部装飾要素の本体２１が側柱１０を備える点で、および内部装飾要素１０が、断面図を参照すると、本体２１の両周縁縁部３で結合要素４を備える点で、図１に示す内部装飾要素１と異なる。本体２１は、ドア開口に近接する壁部（図示せず）を囲むように形成されており、壁部の端部に向かって、結合要素４が本体２１の両側でドア開口部に設けられるので、壁漆喰をドア開口部の両側に貼り付けることができ、継ぎ目無く側柱１０を、壁部を覆う壁漆喰（図示せず）に一体化することができる。
【００４４】
図３に示す本体２１は、側柱１０のみを備えるが、例えば、ドア開口部に近接する壁の角を覆う角部など、有用な非平面形状を有する更なる要素を、内部装飾要素１の本体２１内に埋め込むことができる。
【００４５】
図３に示される側柱１０は、１つの内部装飾要素１０から作製されるが、例えば図２に示すように、壁漆喰６を備えた建築要素の隣接する端部を覆うことにより、互いに継ぎ目無く連結される複数の建築要素を備えてもよい。
【００４６】
図３に示される側柱１０の本体２１は、結合要素４によって完全に区切られている。結合要素４は、戸口の両側で少なくとも部分的に覆われることで、側柱１０を壁漆喰６に継ぎ目無く連結させることができる。側柱１０はしかし、戸口の一方の側における内部装飾要素１に望まれる審美的特性により、戸口の他方の側にのみ結合要素４を設けることができる。
【００４７】
図３に示す側柱１０は、結合要素４内に強化要素７のみを備えている。側柱１０はしかし、結合要素４内および/または本体２内に、特に結合要素４および/または本体２を設ける側柱１０内に、また特に、前述した所望の物質的な特徴を有する側柱１０内に、追加の、またはより少ない強化要素７を備えてもよい。
【００４８】
側柱１０の正確な寸法および形状は、当業者によって決定されてもよく、本発明にとって重大な問題ではない。
【００４９】
側柱１０は更に、図３に示していないが、ドアを側柱１０に設けるヒンジを有することができる。ヒンジの位置では、側柱１０に前述した所望の物質的な特徴を与えるために、ドアは更なる強化要素（図示せず）によって強化される。
【００５０】
図４に示す側柱３０は、図３に示す側柱１０と、本体２２がドアロックのボルトを受ける受け部１１を備えた点で異なる。ドアロックのボルト用受け部１１は、側柱３０内に埋め込まれた強化要素２７により、追加的に強化されている。
【００５１】
ドアロックのボルト用受け部１１の配設位置、形状および寸法は、当業者により決定されてもよく、本発明にとって重大な問題ではない。
【００５２】
前記ロックのボルト用受け部１１を強化する強化要素２７は、側柱３０、ドアおよび/または戸口に望む物質的な特徴に依存して、割愛されてもよい。
【００５３】
図５に示す内部装飾要素４０は、壁漆喰に対する追加の機能として、第２要素（図示せず）用の３つの受け部１２を備えている。図示された内部装飾要素１の本体２３は、本質的には平らであるが、補強壁漆喰材が形成しやすいので、例えば立方的な、または湾曲するなど、任意の望ましい形状をなすことができる。図５に示す受け部１２は、例えばカーテンレール、スポットライト、または他の要素を設置するレール、若しくは他の第２要素（図示せず）を設けるために使用してもよい。
【００５４】
受け部１２の形状および種類は、本発明にとって重大な問題ではなく、例えば、第２要素の形状、種類、寸法および機能により決定される。
【００５５】
図５に示す３つの受け部１２はしかし、それより少なくても多くてもよい。第２要素用の受け部１２は、主に縦方向、かつ、真っ直ぐでもよく、円形、または湾曲してもよく、受け部１２および受け部１２に受けられる第２要素に望まれる機能、形状、種類、および寸法により他の任意の形状および種類であってもよい。
【００５６】
この実施例における受け部１２は、内部装飾要素４０の本体内であって、本体２３の表面に凹部として設けられている。変形例として、例えば、受け部１２で本体２３の表面を局所的に持ち上げることにより形成されるなど、受け部１２を他の方法で形成することができる。
【００５７】
図５に示す内部装飾要素４０は、結合要素４内に埋め込まれた、１つの強化要素７のみを備えている。変形例として、更なる、またはより少ない強化要素７を、前述することにより明らかなように、内部装飾要素４０内に設けることができる。例えば強化要素（図示せず）を第２要素用の受け部１２に設けることで、第２要素の内部装飾要素４０への結合を、内部装飾要素４０に望まれる物質的な特徴に合わせて、および例えば、第２要素の形状、種類、寸法、と重さに合わせて強化することができる。
【００５８】
図５に示す内部装飾要素４０は、本体２の一方の周縁端部３にある、ただ１つの結合要素４を備えている。内部装飾要素１はしかし、反対側の周縁縁部に、または図５に示されていない、結合要素４と共に設けられていない他の周縁縁部３に、図１に示す内部装飾要素１と同様の、更なる結合要素（図示せず）を備えてもよい。
【００５９】
図６に示す内部装飾要素５０はライトボックスであり、断面図に示すように、特徴的な両周縁縁部３に、横へ伸びる結合要素４を有する箱形状の本体５１を備えている。更に、強化要素７が結合要素４内に埋め込まれている。
【００６０】
図６の内部装飾要素５０は、強化要素１３を備えている。強化要素１３は、本体５１内に埋め込まれ、１つ、若しくは複数のランプ、スポットライト、または他の光源、空気を供給する、および/または空気を放出する開口、散水装置、スピーカ、煙探知機、当業者が適切と判断した他の任意の要素を設置するブラケットなど第２の要素（図示せず）の受け部として作用する。第２要素は、例えば第２要素を受けるための穴を形成することにより、または、ねじで締め付ける、接着剤でつける、釘で打ち付けることで本体５１に固定することにより、内部装飾要素５０に設けてもよい。
【００６１】
図６に示す、内部装飾要素５０の本体５１内に埋め込まれた強化要素１３は、割愛してもよく、または前述したことに準じて、内部装飾要素５０に望まれる物質的な特徴により、更なる強化要素（図示せず）を設けてもよい。
【００６２】
強化要素１３は、強化要素１３により受けられる第２要素の形状、種類、寸法、および重さにより決定される、形状、種類、寸法、および物質的特性を有する。
【００６３】
内部装飾要素５０の本体５１は、本体５１が第２要素用の受け部１３を区切る２つの長手方向への突出部の間の容積を規定する点で、前に示した内部装飾要素５０の内部装飾要素５０の本体５１と異なる。
【００６４】
前記突出部は、長手方向でなければならない訳ではないが、形成される容積の機能、および所望の形状、種類と寸法により、当業者が望む任意の形状および種類を有してもよく、例えば、種々の突出部を組み合わせることにより、立方形の、または有機的に湾曲したライトボックスを作ることにより光源を受けるために使用されてもよく、種々の突出部を組み合わせることにより、立法形の、または有機的に湾曲した箱を作ることによりカーテン、およびカーテンレールを受けるように使用されてもよく、または適切と判断される他の任意の用途を受けるために使用されてもよい。
【００６５】
形成される容積の形状、種類、および寸法は、前記容積に受けられる第２要素の形状、種類、および寸法と、内部装飾要素５０に望まれる審美的影響に依存する。
【００６６】
内部装飾要素５０の変形例として、容積を形成するただ１つの突出部、または２以上の突出部を備えてもよく、例えば壁や天井などの他の既存の建築物との結合も可能である。
【００６７】
内部装飾要素５０は、ただ１つの周縁縁部３に、または２以上の周縁縁部３に、前述のような結合要素４を備えることもできる。
【００６８】
図７に示す内部装飾要素６０は、第２要素（図示せず）を受けるため本体６１に形成された容積が、容積が設けられた建築構造（図示せず）の表面から突出しない点で、図６に示す内部装飾要素５０とは異なる。図７の内部装飾要素６０を、例えば壁（図示せず）、または天井（図示せず）に設ける際、第２要素を受けるために形成される容積は、この容積が設けられる壁、または天井に一体化されてもよい。
【００６９】
第２要素を受けるために形成された容積は、任意の所望の形状を有することができ、望ましい審美的影響、および容積内に受ける第２要素の形状、種類、寸法および機能に依存して、例えば立方形、または組織的に湾曲してもよい。
【００７０】
図８に示された内部装飾要素７０は、図７に示された内部装飾要素６０と、本体７１が蓋１４用の受け部１５を備えることで、容積が少なくとも部分的に密封される、という点において異なる。蓋１４は、例えばガラス、アクリルガラス、または当業者によって適すると見いだされた他の任意の材料から構成されている。
【００７１】
図９に示された内部装飾要素８０は、第２要素（図示せず）を受けるために容積を形成する本体８１の突出部が湾曲しており、これにより、内部装飾要素１を見ている傍観者に有機的な湾曲面９、つまり室内装飾に使用するために望まれる審美的な影響を創出する点で、図６に示す内部装飾要素５０とは異なる。
【００７２】
図１０に示された内部装飾要素９０は、本体９１により第２要素（図示せず）を受けるために生み出された容積が、立方体ではなく、室内装飾に望まれる審美的影響である湾曲面になるように湾曲側壁９を備える点で、図７に示す内部装飾要素６０とは異なる。
【００７３】
図１１に湾曲し、有機的に形作られた内部装飾要素１００を示す。内部装飾要素１００は、本体１０１が、湾曲側壁１０２により形成された容積まで案内する開口部を備えた点において、図１０に示される内部装飾要素９０と異なる。内部装飾要素１００は、例えば壁（図示せず）または天井（図示せず）内の開口部に設けられてもよい。内部装飾要素１００は、例えば本体１０１に設けられた開口部を介して光を透過するために使用されてもよく、これにより、日光を部屋の内部に透過するために、天井の開口部、または壁の窓を審美的に閉じるように使用されてもよい。正確な形状、種類、および寸法は、例えば内部装飾要素１００の機能により、当業者によって選択されることができる。
【００７４】
図１２に示された内部装飾要素１１０は、本体１１１が２つの角部１１２、および更に強化要素１１３を備えた点で、図１に示された内部装飾要素１と異なる。これらの相違はしかし、図１−１２の中で示された内部装飾要素において、可能性として前述されている。
【００７５】
図１２に示された内部装飾要素１１０は、本体１１１の表面から突出する突出部１１４を備えた点で、図１に示された内部装飾要素１と異なる。内部装飾要素１１０の突出部の形状、種類、および機能は、突出部の機能により決定される。突出部は例えば、棚を設置する、またはクローゼットを収容する、若しくは設けるために使用されてもよい。
【００７６】
図１２に示された内部装飾要素１１０は、例えば角部（図示せず）を構成する壁（図示せず）を覆うために使用することができ、これにより、内部装飾要素１１０により覆われる角部を形成する種々の壁を覆う漆喰（図示せず）の結合を、簡単に継ぎ目のないものにし、衝撃に耐えるものにされる。内部装飾要素１１０は２つの角部１１２を有するが、変形例として望まれる審美的効果に応じて、より少ない、または多い角部１１２を有してもよい。
【００７７】
図１２に示される角部１１２は、例えば円形、または直線など、当業者により適切だと判断される任意の形状、種類であってもよい。
【００７８】
図１３に示される内部装飾要素１２０は、本体１２１から伸びる突出部を有しない点で、図１２に示される内部装飾要素１１０と異なる。
【００７９】
図１４に示される内部装飾要素１３０は、本体１３１が図１３の内部装飾要素に形成された角部１２２と異なる形状の角部１３２を有する点で、図１３に示される内部装飾要素１２０と異なる。
【００８０】
図１４に示される内部装飾要素１３０はまた、図１２に示すような突出部（図示せず）を有してもよい。
【符号の説明】
【００８１】
１  内部装飾要素
２  本体
３  周縁縁部
４  結合要素
５  壁
６  壁漆喰
７  強化要素
８  角部
９  湾曲側壁
１０  側柱
１２  受け部
１４  蓋
１５  受け部
【図１】
0005398529.tif 000002
【図２】
0005398529.tif 000003
【図３】
0005398529.tif 000004
【図４】
0005398529.tif 000005
【図５】
0005398529.tif 000006
【図６】
0005398529.tif 000007
【図７】
0005398529.tif 000008
【図８】
0005398529.tif 000009
【図９】
0005398529.tif 000010
【図１０】
0005398529.tif 000011
【図１１】
0005398529.tif 000012
【図１２】
0005398529.tif 000013
【図１３】
0005398529.tif 000014
【図１４】
0005398529.tif 000015